(57)【要約】【課題】スライスを単位とし、アウトバンド（映像符号化ビットストリーム外）でシーケンスパラメータ設定情報やピクチャパラメータ設定情報を配信する機能を持つ符号化方式でのチェンネルホッピングに対応し、異なるチェンネルで同じＩＤを使用した場合やパラメータの組み合わせが限られたＩＤ数を超えた場合に受信機の制御を可能とする。【解決手段】アウトバンドでパラメータ設定情報を受信し、受信機内の復号処理部にシーケンスパラメータ設定情報ならびにピクチャパラメータ設定情報を入力する方法及び、インバンドでパラメータ設定情報を受信し、受信機内の復号処理部にシーケンスパラメータ設定情報ならびにピクチャパラメータ設定情報を入力し、更新する方法を提供する。【効果】本発明により、アウトバンドでシーケンスパラメータ設定情報とピクチャパラメータ設定情報を配信する符号化方法を、チェンネルホッピングを伴うブロードバンド配信に適用することが可能となる。また、上記データを受信し、地チャネルポッピングに対応する受信機を構成することが可能となる。【選択図】  図１
2004343272.tif 000002
【特許請求の範囲】
【請求項１】
シーケンスパラメータの設定とピクチャパラメータの設定を複数種類用意し、該設定を番号で識別し、各スライスデータの復号に適用する上記ヘッダ設定を該識別番号にて指定する動画符号化方式にて符号化されたデータを復号するに当たり、複数の識別番号に対応するシーケンスパラメータ設定とピクチャパラメータ設定をデフォルトパラメータとして不揮発性のメモリに準備し、映像復号のプログラム開始時あるいは電源投入時に該不揮発性メモリに保存されているデフォルトパラメータを映像復号処理の作業領域にロードすることを特徴とする映像復号処理機能つき携帯電話。
【請求項２】
シーケンスパラメータの設定とピクチャパラメータの設定を複数種類用意し、該設定を番号で識別し、各スライスデータの復号に適用する上記ヘッダ設定を該識別番号にて指定する動画符号化方式にて符号化されたデータを復号するに当たり、映像復号のプログラム開始時あるいは電源投入時に自動的にデータサイトにアクセスし、該サイトから複数の識別番号に対応するシーケンスパラメータ設定とピクチャパラメータ設定をデフォルトパラメータとして入手して保存し、映像復号処理の作業領域にロードすることを特徴とする映像復号処理機能つき携帯電話。
【請求項３】
シーケンスパラメータの設定とピクチャパラメータの設定を複数種類用意し、該設定を番号で識別し、各スライスデータの復号に適用する上記ヘッダ設定を該識別番号にて指定する動画符号化方式にて符号化されたデジタル放送を復号するに当たり、各識別番号に対応するパラメータ設定情報をチャンネル毎に個別に保存ならびに管理することを特徴とするデジタル放送復号処理機能つき携帯電話。
【請求項４】
請求項３に記載の携帯電話において、デジタル放送の復号時に放送チャンネルに関わらずにアクセスするパラメータ設定情報用のアクセス領域を用意し、チャンネル切り替え時に、放送チャンネル毎に個別に用意しているパラメータ設定情報を該アクセス領域のデータとして利用できるようにデータポインタのリンク設定を行うことを特徴とする。
【請求項５】
シーケンスパラメータの設定とピクチャパラメータの設定を複数種類用意し、該設定を番号で識別し、各スライスデータの復号に適用する上記ヘッダ設定を該識別番号にて指定する動画符号化方式にて符号化されたデジタル放送を復号するに当たり、各識別番号に対応するパラメータ設定情報を１通りのみ保存ならびに管理するデータ領域を設けることを特徴とするデジタル放送復号処理機能つき携帯電話。
【請求項６】
請求項１または請求項２に記載の携帯電話において、デジタル放送に含まれるパラメータ設定情報を受信した際に、デフォルトパラメータの内容を上書きされないように保持し、映像復号処理の作業領域のパラメータ設定情報を更新することを特徴とする。
【請求項７】
請求項１または請求項２に記載の携帯電話において、チャンネル切り替え時に、映像復号処理の作業領域のパラメータ設定情報にデフォルトパラメータを再ロードすることを特徴とする。
【請求項８】
シーケンスパラメータの設定とピクチャパラメータの設定を複数種類用意し、該設定を番号で識別し、各スライスデータの復号に適用する上記ヘッダ設定を該識別番号にて指定する動画符号化方式にて符号化されたデジタル放送を復号するに当たり、受信した放送データに含まれるスライスデータが指定する識別番号に対応するパラメータ設定情報が、チャンネル切り替え後に受信した放送データに含まれていない場合、以前に復号し、保存されている同じＩＤのパラメータ設定を利用して復号し、復号エラーが発生しない復号画像について表示することを特徴とするデジタル放送復号処理機能つき携帯電話。
【請求項９】
請求項８に記載した携帯電話において、放送受信終了時に復号したパラメータ設定情報を保存する機能と、放送受信開始時に該保存したパラメータ設定情報を初期設定データとして映像復号処理の作業領域にロードすることを特徴とする。
【発明の詳細な説明】
【０００１】
【発明の属する技術分野】
本発明は、圧縮動画像データのブロードキャスト受信機実装技術に属するものである。
【０００２】
【従来の技術】
図２３に、ＭＰＥＧ−２やＭＰＥＧ−４などピクチャを基本単位としたビデオ符号化データの構造を示す。ビデオ符号化データは、画像サイズやバッファサイズなどのシーケンスパラメータ情報を含むシーケンスヘッダ情報２３１０から始まる。ピクチャヘッダ２３１１、２３１４は、各ピクチャデータの先頭に配置され、シーケンスパラメータ情報の制限内で、ピクチャタイプなどのピクチャパラメータ情報を定義している。各ピクチャデータは、ピクチャヘッダとスライスデータ２３１２，  ２３１３，  ２３１５にて構成される。スライスとは、符号化単位の一つであり、各ピクチャに１個以上含まれる。
【０００３】
スライスについて、簡単に説明する。動画像の１フレームは、図２７（ａ）に示すように、１個の輝度信号（Ｙ信号：２７０１）と２個の色差信号（Ｃｒ信号：２７０２，  Ｃｂ信号：２７０３）にて構成されており、色差信号の画像サイズは縦横とも輝度信号の１／２となる。一般のビデオ規格では、動画像の各フレームを図２７（ｂ）に示すような小ブロックに分割し、マクロブロックと呼ばれるブロック単位で符号化・再生処理を行う。マクロブロックは１６ｘ１６画素の１個のＹ信号ブロック２７２０と、それと空間的に一致する８ｘ８画素のＣｒ信号ブロック２７２１ならびにＣｂ信号ブロック２７２２にて構成されている。スライスは、図２７（ｃ）に示すように、複数のマクロブロックにて構成される。なお、ＭＰＥＧ−４  Ｖｉｓｕａｌでは、スライスの替わりにビデオパケットという言葉が使用されているが、その特徴の違いは本明細書の範囲では無視できるため、以降、スライスに統一して説明する。
【０００４】
データの先頭から受信するアプリケーションでは、シーケンスパラメータ情報は、基本的にデータの先頭に１度送信すれば良い。しかしながら、ＴＶ放送に代表されるブロードキャストでビデオ符号化データを配信する場合には、チャンネルポッピング（チェンネル切り替え）や途中からの受信に対応するため、数秒毎にシーケンスパラメータ情報を配信する必要がある。図２３（ｂ）にブロードキャスト配信におけるピクチャデータの例を示す。通常は、データ２３３０に示すようにピクチャヘッダから始めるデータが配信されるが、数秒置き（０．５秒程度）にシーケンスヘッダ情報から始まるデータ２３２０に配信される。このシーケンスヘッダ情報を伴うデータを配信するタイミングはエントリポイントと呼ばれており、この間隔が、視聴者がチェンネル切り替えまたは電源ボタンを押してから映像が表示されるまでの最大遅延時間となる。
【０００５】
【発明が解決しようとする課題】
図２３のようにピクチャを単位とし、インバンド（映像符号化ビットストリーム内）でシーケンスパラメータ設定情報ならびにピクチャパラメータ設定情報を伝送する符号化方法を配信する方式では、従来例に示した方法でチェンネルホッピングに対応できる。しかしながら、ＭＰＥＧ−４  Ｐａｒｔ  １０  （Ａｄｖａｎｃｅｄ  Ｖｉｄｅｏ  Ｃｏｄｉｎｇ）のように、スライスを単位とし、アウトバンド（映像符号化ビットストリーム外）でシーケンスパラメータ設定情報やピクチャパラメータ設定情報を配信する機能を持つ符号化方式では、従来例の方法ではチャンネルホッピングに対応できない。また、シーケンスパラメータ設定情報とピクチャパラメータ設定情報をＩＤで管理するため、異なるチェンネルで同じＩＤを使用した場合やパラメータの組み合わせが限られたＩＤ数を超えた場合に受信機の制御が破綻する恐れがある。
【０００６】
【課題を解決するための手段】
アウトバンドでパラメータ設定情報を受信し、受信機内の復号処理部にシーケンスパラメータ設定情報ならびにピクチャパラメータ設定情報を入力する方法を提供する。具体的には、１）  予め受信機内にパラメータ設定情報を保存しておく（デフォルトパラメータ設定情報）、２）  電話回線にてパラメータ設定情報を入手する、３）  番組チェンネルとは別の周波数チェンネルでパラメータ設定情報を入手する、などの方法で受信する。
【０００７】
また、インバンドでパラメータ設定情報を受信し、受信機内の復号処理部にシーケンスパラメータ設定情報ならびにピクチャパラメータ設定情報を入力し、更新する方法を提供する。具体的には、パラメータ設定情報をインバンドで更新する場合には、その番組中、パラメータ設定情報をエントリポイント毎に常に配信する。但し、チェンネル変更時は、保存されているデフォルトパラメータ設定情報や変更チェンネルのパラメータ設定情報に戻す。
【０００８】
さらに、パラメータのＩＤ番号を管理する方法を提供する。具体的には、１）  チェンネル毎に使用できるＩＤを割り当てる、２）  全チェンネルが同じパラメータ設定情報を使用する、３）  各チェンネルが個別にパラメータ設定情報を設定する、４）  一部のＩＤは各チャンネルに割り当て、その他は各チャンネルが個別に設定する、などの方法でパラメータ設定情報とＩＤを管理する。
【０００９】
【発明の実施の形態】
図２１に、スライス単位でビデオデータを符号化し、アウトバンドでシーケンスパラメータ設定情報とフレームパラメータ設定情報を配信するＭＰＥＧ−４  Ｐａｒｔ  １０  （Ａｄｖａｎｃｅｄ  Ｖｉｄｅｏ  Ｃｏｄｉｎｇ）のデータ構造を示す。
【００１０】
インバンドで配信するビデオデータは、１つのアクセスユニット内に含まれるスライスタイプ構造を示すＡｃｃｅｓｓ  Ｕｎｉｔ  Ｄｅｌｉｍｉｔｅｒ２１１０と表示方法や再生に関する追加情報などを示すＳｕｐｐｌｅｍｅｎｔ  ｅｎｈａｎｃｅｍｅｎｔ  Ｉｎｆｏｒｍａｔｉｏｎ  ｍｅｓｓａｇｅ２１２０から始まり、複数のｓｌｉｃｅ  ｄａｔａ２１３０，  ２１４０が続く。Ａｃｃｅｓｓ  Ｕｎｉｔ  Ｄｅｌｉｍｉｔｅｒ２１１０とＳＥＩ  ｍｅｓｓａｇｅ２１２０はビデオ符号化データの復号タイミングや復号画像の表示方法には影響するが、復号自体には影響しないため省略することも可能である。
【００１１】
各ｓｌｉｃｅ  ｄａｔａは、ｈｅａｄｅｒ部２１３１と２１３２で構成される。ｈｅａｄｅｒ部は、そのｓｌｉｃｅの第１マクロブロックのｐｉｃｔｕｒｅ内での位置を示すｆｉｒｓｔ  ｍｂ  ｉｎ  ｓｌｉｃｅ情報  ２１７１から始まる。ｓｌｉｃｅ  ｔｙｐｅ情報  ２１７２はそのｓｌｉｃｅの符号化タイプを示す。ｓｌｉｃｅ  ｔｙｐｅには、復号に使用する画像に応じてＩ  ｓｌｉｃｅ，  Ｐ  ｓｌｉｃｅ，  Ｂ  ｓｌｉｃｅの３種類がある。Ｐｉｃｔｕｒｅ  ｐａｒａｍｅｔｅｒ  ｓｅｔ  ＩＤ  ２１３７は、そのｓｌｉｃｅの復号に適用されるピクチャパラメータ設定情報の識別番号を示す。ＭＰＥＧ−４  ＡＶＣでは、ピクチャパラメータ設定情報の識別番号として０〜２５５までのＩＤを使用することが可能であり、値の異なるパラメータを持つ２つのｐｉｃｔｕｒｅ  ｐａｒａｍｅｔｅｒ  ｓｅｔに対しては異なるＩＤを発行しなければならない。また、同じｐｉｃｔｕｒｅに属するｓｌｉｃｅは同じＩＤのピクチャパラメータ設定情報を持たなければならない。Ｆｒａｍｅ  ｎｕｍｂｅｒ  ２１７４は、そのｓｌｉｃｅが属するｐｉｃｔｕｒｅの番号を示しており、同じ番号を持つｓｌｉｃｅは、同じｐｉｃｔｕｒｅに属していることを意味している。Ｓｌｉｃｅ  ｈｅａｄｅｒには、さらに再生されるｓｌｉｃｅの信号情報（Ｆｒａｍｅ／Ｔｏｐ  Ｆｉｅｌｄ／Ｂｏｔｔｏｍ  Ｆｉｅｌｄ）などが含まれるが、本願の特徴には直接関係しないため、説明を割愛する。
【００１２】
Ｐｉｃｔｕｒｅ  ｐａｒａｍｅｔｅｒ  ｓｅｔは、そのピクチャパラメータ設定情報の識別番号を示すｐｉｃｔｕｒｅ  ｐａｒａｍｅｔｅｒ  ｓｅｔ  ＩＤ  ２１８１から始まる。Ｓｅｑｕｅｎｃｅ  ｐａｒａｍｅｔｅｒ  ｓｅｔ  ＩＤ  ２１８２は、そのｐｉｃｔｕｒｅの復号に適用されるシーケンスパラメータの識別番号を示す。ＭＰＥＧ−４  ＡＶＣでは、シーケンスパラメータ設定情報の識別番号として０〜３１までのＩＤを使用することが可能であり、値の異なるパラメータを持つ２つのｓｅｑｕｅｎｃｅ  ｐａｒａｍｅｔｅｒ  ｓｅｔに対しては異なるＩＤを発行しなければならない。Ｎｕｍｂｅｒ  ｓｌｉｃｅ  ｇｒｏｕｐ情報２１８３は、そのｐｉｃｔｕｒｅに含まれるｓｌｉｃｅの数を示している。さらにＰｉｃｔｕｒｅ  ｐａｒａｍｅｔｅｒ  ｓｅｔには初期量子化パラメータの値やツールの使用制限情報などが含まれるが、本願の特徴には直接関係しないため、説明を割愛する。
【００１３】
Ｓｅｑｕｅｎｃｅ  ｐａｒａｍｅｔｅｒ  ｓｅｔは、シーケンスの仕様を示すＰｒｏｆｉｌｅとＬｅｖｅｌに関する情報２１９１から始まり、そのシーケンスパラメータ設定情報の識別番号を示すｐｉｃｔｕｒｅ  ｐａｒａｍｅｔｅｒ  ｓｅｔ  ＩＤ  ２１９２に続く。Ｐｉｃｔｕｒｅ  ｓｉｚｅ  ｉｎｆｏ．  ２１９３は、復号画像のサイズを定義するパラメータであり、Ｆｒａｍｅ  ｏｎｌｙ  ｉｎｆｏ．  ２１９４は、シーケンスがＦｉｅｌｄ構造のピクチャを含むか否かを示すパラメータである。ｖｉｄｅｏ  ｕｓａｂｉｌｉｔｙ  ｉｎｆｏｒｍａｔｉｏｎ  ｐａｒａｍｅｔｅｒｓ情報２１９５は、信号フォーマット、タイムクロック、バッファ制御情報など符号化データの復号再生処理を補助するデータを含んでいる。さらにＳｅｑｕｅｎｃｅ  ｐａｒａｍｅｔｅｒ  ｓｅｔにはツールの使用制限情報などが含まれるが、本願の特徴には直接関係しないため、説明を割愛する。
【００１４】
ａｃｃｅｓｓ  ｕｎｉｔ  ｄｅｌｉｍｉｔｅｒ、ＳＥＩ  ｍｅｓｓａｇｅ、Ｓｌｉｃｅ  ｄａｔａ、Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔ等のデータ単位の発生順序はＭＰＥＧ−４  ＡＶＣでは限定されておらず、受信機は、識別情報によりデータ構成を認識する。ＡＶＣ規格では、このデータ単位をＮＡＬ（Ｎｅｔｗｏｒｋ  ａｂｓｔｒａｃｔｉｏｎ  ｌａｙｅｒ）  ｕｎｉｔ、識別情報をＮＡＬ  ｔｙｐｅと呼んでいる。１つのＮＡＬ  ｕｎｉｔはヘッダ部とデータ部により構成され、ＮＡＬ  ｔｙｐｅはヘッダ部に含まれる。以後、簡単のためＮＡＬ  ｕｎｉｔのヘッダ部の説明を省略する。また、ＮＡＬ  ｕｎｉｔをつなげることで構成されるデータをバイトストリームと呼ぶ。デジタル放送では、バイトストリームをビデオデータとする。
【００１５】
ＭＰＥＧ−４  ＡＶＣのように、ｓｌｉｃｅ  ｄａｔａをインバンドのビデオデータの基本単位とする符号化方式では、シーケンスパラメータ設定情報とピクチャパラメータ設定情報は識別番号としてビデオデータに組み込まれる。この符号化方法を、チェンネルホッピングの伴うブロードバンドＴＶ放送に適用するためには、エントリポイントでシーケンスパラメータ設定情報とピクチャパラメータ設定情報を入手し、復号処理に適用する手段が必要となる。具体的には、シーケンスパラメータ設定情報とピクチャパラメータ設定情報の配信ならびに受信手段と、チェンネル間での混乱を防ぐための各ＩＤのパラメータ設定情報を管理する手段を提供する必要がある。
【００１６】
本願のシーケンスパラメータ設定情報とピクチャパラメータ設定情報の配信ならびに受信手段ならびにＩＤ管理手段について説明する前に、本願の受信機構成例（携帯電話による地上デジタル放送受信機）ならびに本願の配信データ構造について説明する。
【００１７】
図１にソフトウェア受信機、図３にハードウェア受信機の構成を示す。ソフトウェア受信機は、アンテナ１１０、ベースバンド信号処理部１２０、マルチメディア信号処理部１３０、ＳＲＡＭ１４０、フラッシュメモリ１５０にて構成される。この図では、アンテナ１１０は、無線携帯網電波ならびに地上デジタル放送を受信できるものと考えても良いし、アンテナ１１０は無線携帯網電波のみを受信し、アンテナ１７０と専用ＲＦ変調機１６０が地上デジタル放送を受信する構成と考えても良い。ベースバンド信号処理部は、入出力無線信号の周波数変換とＤ／Ａ−Ａ／Ｄ変換、ならびに基本的な信号処理を実施するプロセッサを保有する。マルチメディア信号処理部は、ベースバンド信号処理部よりも処理能力の高いプロセッサを保有し、映像復号処理を実施する。ＳＲＡＭは揮発性メモリ（電池を外すと内容が消えてしまう）であり、映像復号処理に伴うプログラム、符号化ビットストリーム、フレームデータ、復号データの蓄積に用いられる。フラッシュメモリは不揮発性メモリ（電池を外しても内容が消えない）であり、処理プログラムや記憶データが保存される。ユーザが映像再生処理を要求する（あるいは電源投入時）と、フラッシュメモリに保存されている映像処理プログラムが，マルチメディア信号処理部ならびにＳＲＡＭのプログラム領域にロードされる。同時に、符号化ビットストリーム、フレームデータ、復号データの作業領域が、マルチメディア信号処理部ならびにＳＲＡＭに準備される。アンテナ１１０またはアンテナ１７０から入力されたデジタル放送信号は、ベースバンド信号処理部またはＲＦ変調機１６０にてデジタルデータに変換され、符号化ビットストリームとして符号化ビットストリーム用の作業領域に入力される。なお、ここでは、映像復号処理のみについて示したが、実際には、オーディオ復号処理、同期処理、データ分割処理も同時に実施される。これらの処理はマルチメディア信号処理部で実施される場合も、ベースバンド信号処理部で実施される場合もあるが、本願の特徴とは直接関係しないため、本明細書では説明を割愛し、映像符号化ビットストリームを復号する処理に注目する。
【００１８】
ハードウェア受信機は、アンテナ３１０、ベースバンドチップ３２０、映像復号ＬＳＩ３３０、ＳＲＡＭ１４０、フラッシュメモリ１５０にて構成される。この図では、アンテナ３１０は、無線携帯網電波ならびに地上デジタル放送を受信できるものと考えても良いし、アンテナ３１０は無線携帯網電波のみを受信し、アンテナ１７０と専用ＲＦ変調機１６０が地上デジタル放送を受信すると考えてもよい。ベースバンドチップは、入出力無線信号の周波数変換とＤ／Ａ−Ａ／Ｄ変換、ならびに基本的な信号処理を実施する。ユーザが映像再生処理を要求すると、映像信号ＬＳＩ３３０が起動される。符号化ビットストリーム、フレームデータ、復号データの作業領域が、映像復号ＬＳＩに準備される。アンテナ３１０あるいはアンテナ１７０から入力されたデジタル放送信号は、ベースバンドチップあるいは専用ＲＦ変調機にて符号化ビットストリームデータに変換され、ＳＲＡＭの符号化ビットストリーム用の作業領域に入力されるかあるいは映像信号ＬＳＩに入力される。ハードウェア受信機についても、本明細書では、映像符号化ビットストリームを復号する処理に注目するが、映像復号ＬＳＩにオーディオ処理や同期処理を含めることでマルチメディア符号化ビットストリームも処理できる。なお、ベースバンドチップとマルチメディア信号処理部の組み合わせや、ベースバンド信号処理部と映像復号ＬＳＩの組み合わせも構成としては可能である。
【００１９】
図２２に、本願の配信データ構造を示す。シーケンスパラメータ設定情報（ｓｅｑｕｅｎｃｅ  ｐａｒａｍｅｔｅｒ  ｓｅｔ）とピクチャパラメータ設定情報（ｐｉｃｔｕｒｅ  ｐａｒａｍｅｔｅｒ  ｓｅｔ）は、アウトバンドで配信する場合とインバンドで配信する場合が考えら得る。図２２（ａ）は、シーケンスパラメータ設定情報とピクチャパラメータ設定情報ともアウトバンドで配信する場合のデータ構造を示す。アウトバンドデータ２２１０には、ｓｅｑｕｅｎｃｅ  ｐａｒａｍｅｔｅｒ  ｓｅｔとｐｉｃｔｕｒｅ  ｐａｒａｍｅｔｅｒ  ｓｅｔが含まれる。このアウトバンドデータ内の構成は自由であり、含まれるｐａｒａｍｅｔｅｒ  ｓｅｔの数は必要に応じて異なる。インラインデータ２２２０の構成については、エントリポイントとそれ以外の場合で異なる。エントリポイントでは、Ｓｌｉｃｅ  ｄａｔａのｓｌｉｃｅ  ｔｙｐｅはＩ  Ｓｌｉｃｅとなる。また、必要に応じてａｃｃｅｓｓ  ｕｎｉｔ  ｄｅｌｉｍｉｔｅｒとＳＥＩ  ｍｅｓｓａｇｅが配信される。エントリポイントでない場合には、Ｓｌｉｃｅ  ｄａｔａのみで構成され、ｓｌｉｃｅ  ｔｙｐｅもＰ  ＳｌｉｃｅやＢ  Ｓｌｉｃｅが適用できる。
【００２０】
図２２（ｂ）は、シーケンスパラメータ設定情報をアウトバンドで配信する場合のデータ構造を示す。アウトバンドデータ２２３０には、ｓｅｑｕｅｎｃｅ  ｐａｒａｍｅｔｅｒ  ｓｅｔが含まれる。このアウトバンドデータ内の構成は自由であり、含まれるｐａｒａｍｅｔｅｒ  ｓｅｔの数は必要に応じて異なる。インラインデータの構成については、エントリポイントとそれ以外の場合で異なる。エントリポイントでは、インラインデータ２２３１はｐｉｃｔｕｒｅ  ｐａｒａｍｅｔｅｒ  ｓｅｔとＩ  Ｓｌｉｃｅ  ｄａｔａで構成される。また、必要に応じてａｃｃｅｓｓ  ｕｎｉｔ  ｄｅｌｉｍｉｔｅｒとＳＥＩ  ｍｅｓｓａｇｅが配信される。エントリポイントでない場合には、インラインデータ２２３２は、基本的にはＳｌｉｃｅ  ｄａｔａのみで構成され、ｓｌｉｃｅ  ｔｙｐｅもＰ  ＳｌｉｃｅやＢ  Ｓｌｉｃｅが適用できる。但し、ピクチャ内の最初のスライスについては、ｐｉｃｔｕｒｅ  ｐａｒａｍｅｔｅｒ  ｓｅｔ、また、必要に応じてａｃｃｅｓｓ  ｕｎｉｔ  ｄｅｌｉｍｉｔｅｒとＳＥＩ  ｍｅｓｓａｇｅを、インラインデータに加えて配信することもある。
【００２１】
図３４は、ピクチャパラメータ設定情報をアウトバンドで配信する場合のデータ構造を示す。アウトバンドデータ３４１０には、ｐｉｃｔｕｒｅ  ｐａｒａｍｅｔｅｒ  ｓｅｔが含まれる。このアウトバンドデータ内の構成は自由であり、含まれるｐａｒａｍｅｔｅｒ  ｓｅｔの数は必要に応じて異なる。インラインデータの構成については、エントリポイントとそれ以外の場合で異なる。エントリポイントでは、インラインデータ３４２０はｓｅｑｕｅｎｃｅ  ｐａｒａｍｅｔｅｒ  ｓｅｔとＩ  Ｓｌｉｃｅ  ｄａｔａで構成される。また、必要に応じてａｃｃｅｓｓ  ｕｎｉｔ  ｄｅｌｉｍｉｔｅｒとＳＥＩ  ｍｅｓｓａｇｅが配信される。エントリポイントでない場合には、インラインデータ３４３０は、基本的にはＳｌｉｃｅ  ｄａｔａのみで構成され、ｓｌｉｃｅ  ｔｙｐｅもＰ  ＳｌｉｃｅやＢ  Ｓｌｉｃｅが適用できる。但し、ピクチャ内の最初のスライスについては、必要に応じてａｃｃｅｓｓ  ｕｎｉｔ  ｄｅｌｉｍｉｔｅｒとＳＥＩ  ｍｅｓｓａｇｅをインラインデータに加えて配信する。
【００２２】
図２２（ｃ）は、シーケンスパラメータ設定情報とピクチャパラメータ設定情報ともインバンドで配信する場合のデータ構造を示している。エントリポイントでのインバンドデータ２２４０は、ｓｅｑｕｅｎｃｅ  ｐａｒａｍｅｔｅｒ  ｓｅｔ、ｐｉｃｔｕｒｅ  ｐａｒａｍｅｔｅｒ  ｓｅｔならびにＩ  Ｓｌｉｃｅ  ｄａｔａで構成される。また、必要に応じてａｃｃｅｓｓ  ｕｎｉｔ  ｄｅｌｉｍｉｔｅｒとＳＥＩ  ｍｅｓｓａｇｅが配信される。エントリポイントでない場合には、基本的には、インラインデータ２２４１は、Ｓｌｉｃｅ  ｄａｔａのみで構成され、ｓｌｉｃｅ  ｔｙｐｅもＰ  ＳｌｉｃｅやＢ  Ｓｌｉｃｅが適用できる。但し、ピクチャ内の最初のスライスについては、ｐｉｃｔｕｒｅ  ｐａｒａｍｅｔｅｒ  ｓｅｔ、また、必要に応じてａｃｃｅｓｓ  ｕｎｉｔ  ｄｅｌｉｍｉｔｅｒとＳＥＩ  ｍｅｓｓａｇｅを、インラインデータに加えて配信することもある。
【００２３】
図２２（ｄ）は、複数のパラメータ設定情報を同時に配信する例である。データ２２６０は各チャンネルのパラメータ設定情報を同時配信する場合、データ２２７０は異なるＩＤを持つパラメータ設定情報を同時に配信する場合のデータを示している。伝送帯域に余裕がある場合には、このように他チャンネルのパラメータ設定情報を併せて配信することでチャンネル切り替え時の再生開始遅延を少なくすることが可能となる。
【００２４】
次に、本願のシーケンスパラメータ設定情報とピクチャパラメータ設定情報の配信ならびに受信手段ならびにＩＤ管理手段について説明する。各ＩＤに対応するＳｅｑｕｅｎｃｅ  ｐａｒａｍｅｔｅｒ  ｓｅｔ（シーケンスパラメータ設定情報）とＰｉｃｔｕｒｅ  ｐａｒａｍｅｔｅｒ  ｓｅｔ（ピクチャパラメータ設定情報）の受信機への伝達手段としては、
１）  予め受信機内の不揮発性メモリに保存しておく手段、
２）  デジタル放送の各チャンネルの番組データとは別の通信経路で伝達する手段、
３）  ビデオデータと共にインバンドで配信する手段、
が考えられる。この内、１）と２）はデフォルトパラメータを設定する手段、２）と３）は、放送受信中にパラメータ設定を更新あるいは新しいＩＤに対応するパラメータ設定を追加する手段に適用できる。ここで言うデフォルトパラメータとは、パラメータ設定情報が提供されないときに用いるパラメータ設定である。
［デフォルトパラメータの伝達］
まず、デフォルトパラメータの伝達手段について説明する。この手段としては、
予め受信機内の不揮発性メモリにデフォルトパラメータの設定情報を保存しておく手段と、デジタル放送の各チャンネルの番組データとは別の通信経路でデフォルトパラメータの設定情報を伝達する手段がある。
【００２５】
第１に、「予め受信機内の不揮発性メモリにデフォルトパラメータの設定情報を保存しておく手段」について説明する。この方法では、エントリポイントでのパラメータ設定情報（Ｓｅｑｕｅｎｃｅ  ｐａｒａｍｅｔｅｒ  ｓｅｔとＰｉｃｔｕｒｅ  ｐａｒａｍｅｔｅｒ  ｓｅｔ）の配信処理が省略できるため、インバンドビデオデータで利用するパラメータ設定情報が固定できる場合には有効である。この方法を適用する受信機では、デフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）が受信機から消去されることを防ぐため、これらのデータを不揮発性のフラッシュメモリに保存しておくことが必要であり、また上書き・更新されることのないように確保されている必要がある。そして、これらのデータは、必要なときに、映像復号のための作業領域にロードされる。図２と図４は、図１のソフトウェア受信機と図３のハードウェア受信機に関して、デフォルトパラメータのロード処理をそれぞれ示した図である。データのロード処理は、ユーザの要求に従いデジタル放送の受信プログラムが起動されたとき、あるいは受信機の電源が投入されたときに実施される（処理２１０）。
図１と図２の場合には、フラッシュメモリ内のアドレス１５１に保存されているデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）をＳＲＡＭまたはマルチメディア信号処理部のパラメータ記録領域に登録したのち（処理２２０）、受信再生処理が開始される（処理２３０）。ここで、パラメータ記録領域とは、各ＩＤのパラメータ設定情報（Ｓｅｑｕｅｎｃｅ  ｐａｒａｍｅｔｅｒ  ｓｅｔとＰｉｃｔｕｒｅ  ｐａｒａｍｅｔｅｒ  ｓｅｔ）を記録しておき、ｓｌｉｃｅ  ｄａｔａから復号されたＩＤに従って、映像復号処理部に提供する役割を果たす記録領域の総称である。そのため、映像復号部に、パラメータ設定情報の記録領域として認識されている必要がある。図１のソフトウェア受信機では、ＳＲＡＭ内の指定アドレス１４１、あるいはマルチメディア信号部の作業メモリ内の指定アドレスがこの役割を果たす。この指定アドレスは、プログラム起動時に設定される場合や予め決められている場合が考えられる。処理２２０では、パラメータ記録領域と同時にパラメータ保存領域にも各ＩＤのデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）を記録する場合が考えられる。パラメータ保存領域は、ピクチャパラメータ設定情報（Ｐｉｃｔｕｒｅ  ｐａｒａｍｅｔｅｒ  ｓｅｔ）、シーケンスパラメータ設定情報（Ｓｅｑｕｅｎｃｅ  ｐａｒａｍｅｔｅｒ  ｓｅｔ）とピクチャパラメータ設定情報（Ｐｉｃｔｕｒｅ  ｐａｒａｍｅｔｅｒ  ｓｅｔ）の組み合わせあるいはシーケンスパラメータ設定情報（Ｓｅｑｕｅｎｃｅ  ｐａｒａｍｅｔｅｒ  ｓｅｔ）が一時的に更新される場合について、元の設定を保存する役割を果たすデータ保存領域の総称である。この保存領域は放送システムが受信機とのネゴシエーションの元で、デフォルトパラメータ設定情報を再利用する場合などにおいて、速やかにデフォルトパラメータを利用するために必要であり、パラメータ記憶領域の設定を変更する際に、元の設定をこのパラメータ保存領域に確保しておく。
図１のソフトウェア受信機では、ＳＲＡＭ内の指定アドレス１５１、あるいはマルチメディア信号部の作業メモリ内の指定アドレスがこの役割を果たす。この指定アドレスは、プログラム起動時に設定される場合や予め決められている場合が考えられる。
【００２６】
図３と図４の場合には、フラッシュメモリ内のアドレス１５１に保存されているデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）を専用映像ＬＳＩのパラメータ記録領域に登録したのち（処理４２０）、受信再生処理が開始される（処理２３０）。図３では、ＳＲＡＭ内の指定アドレス、あるいは映像復号ＬＳＩ内に設けられた指定メモリ領域３３１がこのパラメータ記憶領域の役割を果たす。また、処理２２０と同様に処理４２０においても、パラメータ記録領域と同時にパラメータ保存領域にも各ＩＤのデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）を記録する場合が考えられる。図３では、ＳＲＡＭ内の指定アドレス、あるいは映像復号ＬＳＩ内に設けられた指定メモリ領域３３２がこの役割を果たす。
【００２７】
デフォルトパラメータは、図２２（ａ）に示すようにシーケンスパラメータ設定情報（ｓｅｑｕｅｎｃｅ  ｐａｒａｍｅｔｅｒ  ｓｅｔ）とピクチャパラメータ設定情報（ｐｉｃｔｕｒｅ  ｐａｒａｍｅｔｅｒ  ｓｅｔ）とする場合と、図２２（ｂ）や図３４に示すようにシーケンスパラメータ設定情報またはピクチャパラメータ設定情報のみをデフォルトパラメータとする場合がある。後者では、シーケンスパラメータ設定情報（ピクチャパラメータ設定情報）のみがデフォルトパラメータとして、受信機のフラッシュメモリに保存されており、ピクチャパラメータ設定情報（シーケンスパラメータ設定情報）はインバンド等の方法で配信される。
【００２８】
受信機のフラッシュメモリ、パラメータ記録領域ならびにパラメータ保存領域のＩＤ管理手段としては、３つの方法が考えられる。「ＩＤ管理方法１」は、放送チェンネル毎に個別にＩＤとパラメータを管理する方法である。この方法は、パラメータ設定の変更が各チャンネルの管理の元で個別に実施される場合にも対応できる。その一方で、フラッシュメモリ、パラメータ保存領域とも各チェンネルについて個別に各ＩＤに対応するデフォルトパラメータを保存する必要がある（同じパラメータを使用するチェンネルがある場合は部分的に共通化できる）。「ＩＤ管理方法２」は、各ＩＤに対応するパラメータ設定を全チェンネルで共通して管理する方法である。この方法は、使用できるＩＤを各チェンネルに割り当てる方法と割り当てない方法の何れにも対応できる。前者では、パラメータ設定の変更を各チャンネルの管理の元で実施できる。後者でも、パラメータ設定の変更は可能であるが、チェンネル切り替え時における受信機の制御を規定する必要がある（詳細は後述）。「ＩＤ管理方法３」は、ＩＤ管理方法２のようにパラメータ設定をチェンネル間で共通して管理するＩＤとＩＤ管理方法１のようにチェンネル毎に個別にパラメータ設定を管理するＩＤを持つ方法である。
【００２９】
図１ならびに図３のフラッシュメモリ、パラメータ記録領域ならびにパラメータ保存領域のデータサイズは、放送規格の運用規定に定められたパラメータ設定情報の配信／再生方法（ＩＤ管理方法）により異なる。また、図２の処理２１０ならびに図４の処理４２０にて、パラメータ記録領域ならびにパラメータ保存領域にロードされるデータ容量もＩＤの放送規格の運用規定により異なる。受信機は、放送規格の運用規定に従って、フラッシュメモリ、パラメータ記録領域ならびにパラメータ保存領域のデータサイズと各ＩＤの管理方法を規定する。なお、ＩＤ管理方法の選択はＩＤ毎に個別に設定できる。
【００３０】
デフォルトパラメータとして定義されているＩＤについては、フラッシュメモリとパラメータ保存領域に適用されるＩＤ管理方法は同じであり、放送規格の運用規定に従う。パラメータ記録領域についても、ＩＤ管理方法２に従ってパラメータ設定情報が伝達される放送規格では、フラッシュメモリならびにパラメータ保存領域と同じＩＤ管理方法２を適用する。但し、パラメータ記憶領域は、ｓｌｉｃｅ  ｄａｔａから復号されたＩＤに対応するパラメータ設定情報を映像復号処理部に提供する役割を果たすため、アクセス速度などの観点から、そのデータサイズは少ないほうが好ましい場合もある。そのため、フラッシュメモリやパラメータ保存領域がＩＤ管理方法１を適用しているＩＤについても、パラメータ記録領域ではＩＤ管理方法２を適用することが考えられる。この場合、視聴中のチャンネルに対応するパラメータ設定情報をパラメータ記録領域に登録し、チェンネル切り替え時には、パラメータ保存領域あるいはフラッシュメモリから切り替えチェンネルに対応するパラメータ設定をロードする。但し、この場合には、図２の処理２２０と図４の処理４２０において、パラメータ記録領域にどのチェンネルのパラメータ設定情報を登録するかを規定する必要がある。例えば、最後に視聴していたチェンネルやこれまでの視聴履歴から決定するという方法が考えられる。
【００３１】
デフォルトパラメータとして定義されていないＩＤについては、放送規格の運用規定に基づいて、受信機にてパラメータ記録領域のＩＤ管理方法を選択する。但し、このタイプのＩＤについては、使用時に適宜パラメータ設定情報が提供されるためＩＤ管理方法２にて対応できる。
【００３２】
第２に、「デジタル放送の各チャンネルの番組データとは別の通信経路でデフォルトパラメータの設定情報を伝達する手段」について説明する。通信経路としては、いくつかの方法が考えられる。１つは、携帯電話の無線ネットワークにてデフォルトパラメータを配信する方法である。図１のアンテナ１１０または図３のアンテナ３１０から無線電波の媒体で取得し、図１のベースバンド信号処理部あるいは図３のベースバンドチップにてデジタルデータに変換される。２つは、各放送局のチェンネルとは異なる周波数を用いてデフォルトパラメータを配信する方法である。図１または図３のアンテナ１７０の周波数チャンネルを切り替えてデフォルトパラメータを放送電波の媒体で取得し、ＲＦ変調機１６０にてデジタルデータに変換される。他には、無線ＬＡＮ、ブルートゥース、赤外線などの通信手段を利用する方法や、ＳＤカードやメモリカードなどのストレージメディアを介して取得する方法も考えられる。
【００３３】
図１３と図１４に、デジタル放送の各チャンネルの番組データとは別の通信経路でデフォルトパラメータを伝達する手順を示す。デフォルトパラメータとして規定されているＩＤについては、対応するデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）が受信機から消去されることを防ぐ必要がある。図１３は、デフォルトパラメータが放送受信中に更新されないことが放送規格にて規定されている場合、図１４は、デフォルトパラメータが更新される可能性がある場合の処理をそれぞれ示している。図１３では、ＩＤ管理方法１を適用しているＩＤについては、パラメータ記録領域にもＩＤ管理方法１を適用する必要がある。デフォルトパラメータの取得は、ユーザの要求に伴うデジタル放送の受信プログラムの起動時、あるいは受信機端末（携帯電話）の電源投入時に実施される（処理１３００）。プログラムの起動あるいは電源が投入されると、携帯電話の無線ネットワークを利用する場合には、受信機端末は自動的に電話をかけサーバに接続する。各放送局のチェンネルとは異なる周波数チェンネルを利用する場合には、受信機端末は自動的に放送を受信するアンテナ１７０の周波数をデフォルトパラメータ配信帯域に調整する（処理１３１０）。そして、デフォルトパラメータとして規定されているＩＤに対応するデフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）を取得し、パラメータ記録領域に登録する（処理１３２０）。図１４では、処理１３２０の後に、デフォルトパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＳｅｑｕｅｎｃｅ  ｐａｒａｍｅｔｅｒ  ｓｅｔ）をパラメータ保存領域あるいはフラッシュメモリにも保存する（処理１４２０）。この処理により、放送システムが受信機とのネゴシエーションの元で、デフォルトパラメータ設定の更新処理と再利用処理を実施することが可能となる。なお、図１４の処理１４２０にて、フラッシュメモリに保存する場合には、パラメータ保存領域を設ける必要はない。
【００３４】
デフォルトパラメータは、図２２（ａ）に示すようにシーケンスパラメータ設定情報（ｓｅｑｕｅｎｃｅ  ｐａｒａｍｅｔｅｒ  ｓｅｔ）とピクチャパラメータ設定情報（ｐｉｃｔｕｒｅ  ｐａｒａｍｅｔｅｒ  ｓｅｔ）とする場合と、図２２（ｂ）や図３４に示すようにシーケンスパラメータ設定情報またはピクチャパラメータ設定情報のみをデフォルトパラメータとする場合がある。後者では、シーケンスパラメータ設定情報（ピクチャパラメータ設定情報）のみがデフォルトパラメータとして、ピクチャパラメータ設定情報（シーケンスパラメータ設定情報）はインバンド等の方法で配信される。
【００３５】
受信機のフラッシュメモリ、パラメータ記録領域ならびにパラメータ保存領域のＩＤ管理手段としては、ＩＤ管理方法１の各チェンネル個別にＩＤとパラメータを管理する方法、ＩＤ管理方法２の各ＩＤに対応するパラメータ設定を全チェンネルで共通して管理する方法、ＩＤ管理方法３のパラメータ設定をチェンネル間で共通して管理するＩＤとチェンネル毎に個別にパラメータ設定を管理するＩＤを持つ方法、の３通りが適用できる。
【００３６】
図１ならびに図３のパラメータ記録領域ならびにパラメータ保存領域（フラッシュメモリ）のデータサイズは、放送規格の運用規定に定められたパラメータ設定情報の配信／再生方法（ＩＤ管理方法）により異なる。また、処理１３２０ならび処理１４２０にて、パラメータ記録領域ならびにパラメータ保存領域に保存されるデータ容量もＩＤの放送規格の運用規定により異なる。受信機は、放送規格の運用規定に従って、パラメータ記録領域ならびにパラメータ保存領域（フラッシュメモリ）のデータサイズと各ＩＤの管理方法を規定する。なお、ＩＤ管理方法の選択はＩＤ毎に設定できる。
【００３７】
デフォルトパラメータとして定義されているＩＤに対応するパラメータ保存領域（フラッシュメモリ）に適用されるＩＤ管理方法は、放送規格の運用規定に従う。パラメータ記録領域についても、図１３のケースではＩＤ管理方法は放送規格の運用規定に従う。図１４のケースでも、ＩＤ管理方法２に従ってパラメータ設定情報が伝達される放送規格では、パラメータ保存領域（フラッシュメモリ）と同じＩＤ管理方法２を適用する。但し、パラメータ記憶領域は、ｓｌｉｃｅ  ｄａｔａから復号されたＩＤに対応するパラメータ設定情報を映像復号処理部に提供する役割を果たすため、アクセス速度などの観点から、そのデータサイズは少ないほうが好ましい場合もある。そのため、パラメータ保存領域（フラッシュメモリ）がＩＤ管理方法１を適用しているＩＤについても、パラメータ記録領域ではＩＤ管理方法２を適用することが考えられる。この場合、視聴中のチャンネルに対応するパラメータ設定情報をパラメータ記録領域に登録し、チェンネル切り替え時には、パラメータ保存領域あるいはフラッシュメモリから切り替えチェンネルに対応するパラメータ設定をロードする。但し、この場合、図１４の処理１４２０において、パラメータ記録領域にどのチェンネルのパラメータ設定情報を登録するかを規定する必要がある。例えば、最後に視聴していたチェンネルやこれまでの視聴履歴から決定するという方法が考えられる。
【００３８】
デフォルトパラメータとして定義されていないＩＤについては、放送規格の運用規定に基づいて、受信機にてパラメータ記録領域のＩＤ管理方法を選択する。但し、このタイプのＩＤについては、使用時に適宜パラメータ設定情報が提供されるためＩＤ管理方法２にて対応できる。
［パラメータ設定情報の更新］
次に、デフォルトパラメータとして定義されているＩＤに対応するデフォルトパラメータ設定情報（ｓｅｑｕｅｎｃｅ  ｐａｒａｍｅｔｅｒ  ｓｅｔとｐｉｃｔｕｒｅ  ｐａｒａｍｅｔｅｒ  ｓｅｔ）の更新手段、デフォルトパラメータとして定義されていないＩＤに対応するパラメータ設定情報（ｓｅｑｕｅｎｃｅ  ｐａｒａｍｅｔｅｒ  ｓｅｔとｐｉｃｔｕｒｅ  ｐａｒａｍｅｔｅｒ  ｓｅｔ）の配信手段、ならびに図２２（ｂ）と図３４におけるｐｉｃｔｕｒｅ  ｐａｒａｍｅｔｅｒ  ｓｅｔまたはｓｅｑｕｅｎｃｅ  ｐａｒａｍｅｔｅｒ  ｓｅｔの配信手段について説明する。この手段としては、図２２の（ｂ）（ｃ）（ｄ）と図３４に示すように、ビデオデータと共にインバンドでパラメータ設定情報を配信する手段、別の通信経路を利用してパラメータ設定情報を配信する手段、ならびに番組情報を利用してパラメータ設定情報を更新する手段がある。
【００３９】
第１に、「ビデオデータと共にインバンドでパラメータ設定情報を配信する手段」について説明する。インバンドでパラメータ設定情報を伝達するケースとしては、
１）  デフォルトパラメータとして割り当てられているＩＤについて、パラメータ設定を一時的に更新する、
２）  デフォルトパラメータとして割り当てられていないＩＤについて、未登録（パラメータ設定情報を受信機が持っていない）の追加パラメータ設定情報を提供する、
３）  デフォルトパラメータとして割り当てられていないＩＤについて、登録済み（パラメータ設定情報を受信機が持っている）のＩＤの設定を更新する、
という３パターンが考えられる。２）と３）のケースについては、エントリポイント毎に、パラメータ設定情報を配信する必要がある。１）のケースについては、デフォルトパラメータが適用されており、かつ配信中止時にデフォルトパラメータ設定に戻すことが規定されていれば、エントリポイントでのパラメータ設定情報の配信を中止することも可能である。
【００４０】
図５は、パラメータ記録領域にＩＤ管理方法２が適用されている受信機について、パラメータ記録領域に登録されていないＩＤに対応するパラメータ設定情報を受信した場合の処理を示した図である。登録済みのＩＤについて、パラメータ設定情報（ｐｉｃｔｕｒｅ  ｐａｒａｍｅｔｅｒ  ｓｅｔ、ｓｅｑｕｅｎｃｅ  ｐａｒａｍｅｔｅｒ  ｓｅｔあるいはｓｅｑｕｅｎｃｅ  ｐａｒａｍｅｔｅｒ  ｓｅｔとｐｉｃｔｕｒｅ  ｐａｒａｍｅｔｅｒ  ｓｅｔの組み合わせ）を受信すると（処理５１０）、受信機はパラメータ記録領域に登録されているパラメータ設定情報を更新したのち（処理５２０）、受信再生処理を再開する（処理５３０）。図６は、パラメータ記録領域にＩＤ管理方法２が適用されている受信機について、パラメータ記録領域に登録されていないＩＤに対応するパラメータ設定情報を受信した場合の処理を示した図である。未登録のＩＤについて、パラメータ設定情報（ｐｉｃｔｕｒｅ  ｐａｒａｍｅｔｅｒ  ｓｅｔ、ｓｅｑｕｅｎｃｅ  ｐａｒａｍｅｔｅｒ  ｓｅｔあるいはｓｅｑｕｅｎｃｅ  ｐａｒａｍｅｔｅｒ  ｓｅｔとｐｉｃｔｕｒｅ  ｐａｒａｍｅｔｅｒ  ｓｅｔの組み合わせ）を受信すると（処理６１０）、受信機はパラメータ記録領域に新しいＩＤのパラメータ設定情報を追加登録したのち（処理６２０）、受信再生処理を再開する（処理６３０）。図７は、パラメータ領域にＩＤ管理方法１が適用されている受信機について、パラメータ記録領域に登録されているＩＤに対応するパラメータ設定情報を受信した場合の処理を示した図である。選択チェンネルの登録済みのＩＤについて、パラメータ設定情報（ｓｅｑｕｅｎｃｅ  ｐａｒａｍｅｔｅｒ  ｓｅｔ、ｐｉｃｔｕｒｅ  ｐａｒａｍｅｔｅｒ  ｓｅｔあるいはｓｅｑｕｅｎｃｅ  ｐａｒａｍｅｔｅｒ  ｓｅｔとｐｉｃｔｕｒｅ  ｐａｒａｍｅｔｅｒ  ｓｅｔの組み合わせ）を受信すると（処理７１０）、受信機は選択チェンネルのパラメータ記録領域に登録されているパラメータ設定情報を更新したのち（処理７２０）、受信再生処理を再開する（処理７３０）。図８は、パラメータ領域にＩＤ管理方法１が適用されている受信機について、パラメータ記録領域にまだ登録されていないＩＤに対応するパラメータ設定情報を受信した場合の処理を示した図である。選択チェンネルの未登録のＩＤについて、パラメータ設定情報（ｓｅｑｕｅｎｃｅ  ｐａｒａｍｅｔｅｒ  ｓｅｔ、ｐｉｃｔｕｒｅ  ｐａｒａｍｅｔｅｒ  ｓｅｔあるいはｓｅｑｕｅｎｃｅ  ｐａｒａｍｅｔｅｒ  ｓｅｔとｐｉｃｔｕｒｅ  ｐａｒａｍｅｔｅｒ  ｓｅｔの組み合わせ）を受信すると（処理８１０）、受信機は選択チェンネルのパラメータ記録領域に新しいＩＤのパラメータ設定情報を追加登録したのち（処理８２０）、受信再生処理を再開する（処理８３０）。
【００４１】
図２２（ｄ）に示すように、複数チェンネルのパラメータ設定情報、あるいは複数ＩＤに対応するパラメータ設定情報を受信した場合には、それぞれのパラメータ設定情報について、図５〜図８の何れかの処理を実施する。但し、複数のパラメータ設定を同時に受信するためには、受信機と放送局の間でＩＤ管理方法とデータフォーマット（チャンネル番号の指定や同時に配信するパラメータの数等の再生情報）を規定しておく必要がある。また、パラメータ記録領域がＩＤ管理方法３を適用している場合には、ＩＤに応じて図５〜図８の処理を使い分ける。
【００４２】
第２に、「デジタル放送の各チャンネルの番組データとは別の通信経路で伝達する手段」について説明する。第１の手段ではエントリポイントにてパラメータ設定情報を入手するが、この第２の手段ではエントリポイントではなく、チェンネル切り替え時や番組変更時に入手する方法も考えられる。パラメータ設定情報を取得するケースとしては、
１）  デフォルトパラメータとして割り当てられているＩＤについて、パラメータ設定を一時的に更新する、
２）  デフォルトパラメータとして割り当てられていないＩＤについて、未登録（パラメータ設定情報を受信機が持っていない）の追加パラメータ設定情報を提供する、
３）  デフォルトパラメータとして割り当てられていないＩＤについて、登録済み（パラメータ設定情報を受信機が持っている）のＩＤの設定を更新する、
という３パターンが考えられる。２）と３）のケースについては、エントリポイントやチャンネル切り替え時など規定されたポイントで、パラメータ設定情報を取得する必要がある。１）のケースについては、デフォルトパラメータが適用されており、かつ配信中止時にデフォルトパラメータ設定に戻すことが規定されていれば、規定ポイントでのパラメータ設定情報の配信を中止することも可能である。通信経路としては、いくつかの方法が考えられる。１つは、携帯電話の無線ネットワークにてデフォルトパラメータを配信する方法である。図１のアンテナ１１０または図３のアンテナ３１０から無線電波の媒体で取得し、図１のベースバンド信号処理部あるいは図３のベースバンドチップにてデジタルデータに変換される。２つは、各放送局のチェンネルとは異なる周波数を用いてデフォルトパラメータを配信する方法である。図１または図３のアンテナ１７０の周波数チャンネルを切り替えてデフォルトパラメータを放送電波の媒体で取得し、ＲＦ変調機１６０にてデジタルデータに変換される。他には、無線ＬＡＮ、ブルートゥース、赤外線などの通信手段を利用する方法も考えられる。なお、デフォルトパラメータとして定義されているＩＤを更新する場合、以降の図９〜図１２と図１５〜図１８で説明する初期化処理（処理９２０、処理１０２０、処理１１２０、処理１２２０、処理１５２０、処理１６２０、処理１７２０、処理１８２０）を先に実施する必要がある。
【００４３】
図１９は、チャンネル切り替え時にパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）を更新する処理手順を示した図である。ユーザからのチェンネル切り替え要求が発生すると（処理１９００）、受信機は、まず、初期化処理１９３０を実施する。この初期化処理は、デフォルトパラメータとして定義されているＩＤのパラメータ設定情報についてのみ実施し、その方法はパラメータ保存領域（フラッシュメモリ）とパラメータ記録領域のＩＤ管理方法によって異なる。初期化処理の方法としては、処理９２０、処理１０２０、処理１１２０、処理１２２０、処理１５２０、処理１６２０、処理１７２０、処理１８２０の何れかが実施される（詳細は後述）。デフォルトパラメータとして定義されていないＩＤについては、初期化処理は実施されない。次に、更新パラメータ設定情報の取得のため、通信処理を実施する。具体的には、携帯電話の無線ネットワークを利用する場合には、受信機端末は自動的に電話をかけてサーバに接続する。各放送局のチェンネルとは異なる周波数チェンネルを利用する場合には、受信機端末は自動的に放送を受信するアンテナ１７０の周波数をデフォルトパラメータ配信帯域に調整する（処理１９１０）。そして、切り替え後のチャンネルにおけるパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）のうち、更新するＩＤのデータを取得し、パラメータ記録領域のデータを更新する（処理１９２０）。パラメータ記録領域の更新手段は、更新するＩＤのパラメータ記録領域でのＩＤ管理方法とＩＤの登録状況により異なり、図５の処理５２０、図６の処理６２０、図７の処理７２０、または図８の処理８２０の中で何れかの方法が適用される。処理１９２０の後、再生処理を再開する（処理９３０）。
【００４４】
図２０は、番組変更時にパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）を更新する処理手順を示した図である。番組変更のタイミングは、図２９のデータ２９１０に示す番組に関する情報から受信機が検知できる。番組の変更を受信機が認識すると（処理１９００）、受信機は、まず、初期化処理１９３０を実施する（説明は図１９と同じため割愛）。デフォルトパラメータとして定義されていないＩＤについては、初期化処理は実施されない。次に、更新パラメータ設定情報の取得のため、通信処理を実施する（処理１９１０、説明は図１９と同じため割愛）。そして、選択中のチャンネルにおけるパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）のうち、更新するＩＤのデータを取得し、パラメータ記録領域のデータを更新する（処理２０２０）。パラメータ記録領域の更新手段は、更新するＩＤのパラメータ記録領域でのＩＤ管理方法とＩＤの登録状況により異なり、図５の処理５２０、図６の処理６２０、図７の処理７２０、または図８の処理８２０の中で何れかの方法が適用される。処理２０２０の後、再生処理を再開する（処理９３０）。
【００４５】
第３に、「番組情報データを利用してパラメータ設定情報を更新する手段」について説明する。この手段としては、番組情報データにて更新情報を提供する方法と更新データの取得を指令する方法がある。
図２５と図２９にて番組情報にて更新情報を提供する方法を説明する。図２９のデータ２９１０、２９２０、２９３０、２９４０、２９５０に示すように、放送電波にて配信される番組のデータは番組情報、再生同期に関するシステムデータ、文字データ、オーディオデータならびにビデオデータ（同不順）により構成される。番組情報では番組の構成などを提供できる。この番組情報内に修正情報２９１１を含めることにより、パラメータ設定情報の更新処理を実施する。修正情報２９１１には、ｐｉｃｔｕｒｅ  ｐａｒａｍｅｔｅｒ  ｓｅｔとｓｅｑｕｅｎｃｅ  ｐａｒａｍｅｔｅｒ  ｓｅｔの種別、修正するＩＤとチャンネル（放送規格がＩＤ管理方法２を適用しているＩＤについては、チャンネルデータは必要ない）ならびに修正データが含まれる。この修正データはパラメータ設定全体でなく、一部のみでも良い。但し、修正データのフォーマットは放送規格の運用規定にて定められている必要がある。例えば、パラメータ設定の各データ要素に番号を振り、その番号と更新データの組み合わせとするフォーマットとすることにより、修正するデータ要素のみを指定できる。この際、パラメータ全体を更新する番号を設けておけば、そのＩＤのパラメータ設定全体を更新することも可能である。また、番号の前にｓｅｑｕｅｎｃｅ  ｐａｒａｍｅｔｅｒ  ｓｅｔ／ｐｉｃｔｕｒｅ  ｐａｒａｍｅｔｅｒ  ｓｅｔの種別とＩＤを付けることで、複数のＩＤを更新することも可能となり、図２２（ｄ）の形式の放送にも対応できる。図２５にパラメータ記録領域の更新処理手順を示す。パラメータ修正情報を受信すると（処理２５１０）、受信機は、修正情報にしたがって、対応するチャンネルとＩＤのパラメータ設定情報について、パラメータ記録領域２９５１（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）のデータを更新した後（処理２５２０）、再生処理を再開する（処理２５３０）。パラメータ記録領域の更新手段は、更新するＩＤのパラメータ記録領域でのＩＤ管理方法とＩＤの登録状況により異なり、図５の処理５２０、図６の処理６２０、図７の処理７２０、または図８の処理８２０の中で何れかの方法が適用される。再生再開後、受信機は、更新したパラメータ設定情報に続いて、ビデオデータを受信機内のビデオ復号部２９５３（図１のマルチメディア信号処理部または図２の映像復号ＬＳＩ）に入力する。なお、この手段は第１の手段ならびに第２の手段と組み合わせて使用することも可能である。
【００４６】
図２６にて更新データの取得を指令する方法を説明する。この方法では、修正情報２９１１にて、ｐｉｃｔｕｒｅ  ｐａｒａｍｅｔｅｒ  ｓｅｔとｓｅｑｕｅｎｃｅ  ｐａｒａｍｅｔｅｒ  ｓｅｔの種別、修正するＩＤと対応するチャンネルが通知される（ＩＤ管理方法２を放送規格が適用しているＩＤについては、チャンネル情報は必要ない）。この通知方法は、図２２（ｄ）の形式の放送にも対応できる。受信機は、更新情報を受信すると（処理２６００）、更新パラメータ設定情報の取得のため、通信処理を実施する。具体的には、携帯電話の無線ネットワークを利用する場合には、受信機端末は自動的に電話をかけサーバに接続する。各放送局のチェンネルとは異なる周波数チェンネルを利用する場合には、受信機端末は自動的に放送を受信するアンテナ１７０の周波数をデフォルトパラメータ配信帯域に調整する（処理２６１０）。そして、更新するＩＤについて更新パラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせあるいはＰｉｃｔｕｒｅ  ｐａｒａｍｅｔｅｒ  ｓｅｔ）のうち、更新するＩＤのデータを取得し、パラメータ記録領域２９５１のデータを更新する（処理２６２０）。パラメータ記録領域の更新手段は、更新するＩＤのパラメータ記録領域でのＩＤ管理方法とＩＤの登録状況により異なり、図５の処理５２０、図６の処理６２０、図７の処理７２０、または図８の処理８２０の中で何れかの方法が適用される。処理２６２０の後、再生処理を再開する（処理２６３０）。再生再開後、受信機は、更新したパラメータ設定情報に続いて、ビデオデータを受信機内のビデオ復号部２９５３（図１のマルチメディア信号処理部または図２の映像復号ＬＳＩ）に入力する。この手段は第１の手段ならびに第２の手段と組み合わせて使用することも可能である。
［デフォルトパラメータの初期化］
デフォルトパラメータとして定義されているＩＤについて、更新したパラメータ設定情報のチェンネル切り替え時と番組変更時（番組タイトルの切り替わり）の初期化処理、ならびに更新パラメータ設定情報のエントリポイント（規定ポイント）での配信を中止した時の初期化処理について説明する。
【００４７】
図９と図１５は、ＩＤ管理方法２が適用されているＩＤに対応するデフォルトパラメータがフラッシュメモリまたはパラメータ保存領域に保存されている場合について、そのＩＤに対応するパラメータ設定情報のチャンネル切り替え時の更新処理を示した図である。図９は、パラメータ記録領域がＩＤ管理方法２を適用している場合、図１５はパラメータ記録領域がＩＤ管理方法１を適用している場合の図である。チャンネル切り替えの要求が発生すると（処理９１０）、受信機は、対応するＩＤについて、フラッシュメモリあるいはパラメータ保存領域に保存されているパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔあるいはＳｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせ）をパラメータ記録領域に再登録（パラメータ記憶領域の更新）し、受信再生処理を再開する（処理９３０）。この際、パラメータ記録領域がＩＤ管理方法１を適用している図１５の場合には、対応するＩＤについて、切り替え後の選択チェンネルあるいは切り替え直前に選択していたチェンネルのいずれかのパラメータ設定情報がデフォルトパラメータに書き換えられる（処理１５２０）。運用上はどちらのパラメータ設定情報を更新しても問題ないが、１つの受信機では、いずれかの方法に固定する必要がある。また、冗長になるが、両方のチェンネルのパラメータ設定情報をデフォルトパラメータに書き換えても良い。パラメータ記録領域がＩＤ管理方法２を適用している図９の場合には、対応するＩＤのパラメータ設定情報がデフォルトパラメータに書き換えられる（処理９２０）。処理９２０と処理１５２０において、受信機内にフラッシュメモリとパラメータ保存領域が共に存在する場合には、パラメータ保存領域からパラメータ設定情報が提供される。いずれか一方のみが存在する場合には、存在するメモリ領域から提供される。図１０と図１６は、ＩＤ管理方法１が適用されているＩＤに対応するデフォルトパラメータがフラッシュメモリまたはパラメータ保存領域に保存されている場合について、そのＩＤに対応するパラメータ設定情報のチャンネル切り替え時の更新処理を示した図である。図１０は、パラメータ記録領域がＩＤ管理方法２を適用している場合、図１６はパラメータ記録領域がＩＤ管理方法１を適用している場合の図である。チャンネル切り替えの要求が発生すると（処理９１０）、受信機は、対応するＩＤについて、フラッシュメモリあるいはパラメータ保存領域に保存されている切り替え後の選択チャンネルあるいは切り替え直前に選択していたチェンネルのいずれかのパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔあるいはＳｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせ）をパラメータ記録領域に再登録（パラメータ記憶領域の更新）したのち、受信再生処理を再開する（処理９３０）。この際、パラメータ記録領域がＩＤ管理方法２を適用している図１０の場合には、対応するＩＤのパラメータ設定情報が切り替え後の選択チェンネルのデフォルトパ���メータにて更新される（処理１０２０）。パラメータ記録領域がＩＤ管理方法１を適用している図１６の場合には、対応するＩＤについて、切り替え後の選択チェンネルのパラメータ設定情報をデフォルトパラメータに書き換えても、切り替え前の選択チェンネルのパラメータ設定情報をデフォルトパラメータに書き換えても、運用上は問題ない。但し、１つの受信機では、いずれかの方法に固定する必要がある（処理１６２０）。処理１０２０と処理１６２０において、受信機内にフラッシュメモリとパラメータ保存領域が共に存在する場合には、パラメータ保存領域からパラメータ設定情報が提供される。いずれか一方のみが存在する場合には、存在するメモリ領域から提供される。なお、受信機のフラッシュメモリまたはパラメータ保存領域がＩＤ管理方法１を適用している場合には、全てのＩＤについて図１０か図１６の処理が適用される。受信機のフラッシュメモリまたはパラメータ保存領域がＩＤ管理方法２を適用している場合には、全てのＩＤについて図９か図１５の処理が適用される。受信機のフラッシュメモリまたはパラメータ保存領域がＩＤ管理方法３を適用している場合には、各ＩＤとパラメータ記録領域のＩＤ管理方法に応じて図９、図１０、図１５ならびに図１６の処理を使い分ける。
【００４８】
図１１と図１７は、ＩＤ管理方法２が適用されているＩＤに対応するデフォルトパラメータがフラッシュメモリまたはパラメータ保存領域に保存されている場合について、そのＩＤに対応するパラメータ設定情報の番組変更時ならびにエントリポイント（規定ポイント）での配信中止時の処理を示した図である。番組変更のタイミングは、図２９のデータ２９１０に示す番組に関する情報から受信機が検知できる。エントリポイント（規定ポイント）でのパラメータ設定情報配信の中止は、ビデオデータ内のＮＡＬ  ｔｙｐｅ情報を読み取ることにより判断できる。例えば、予定されていたエントリポイント（規定ポイント）のフレームのビデオデータについて、最初のＮＡＬ  ｕｎｉｔのＮＡＬ  ｔｙｐｅがスライスデータであることを示していれば、パラメータ設定情報配信が中止されたと判断できる。但し、放送規格の運用規定でエントリポイント（規定ポイント）を明確に定めておく必要がある。また、番組データにて配信中止を通知することも可能である。この場合も、放送規格の運用規定でエントリポイント（規定ポイント）を明確に定めておく必要がある。図１１は、パラメータ記録領域がＩＤ管理方法２を適用している場合、図１７はパラメータ記録領域がＩＤ管理方法１を適用している場合の図である。番組変更あるいは更新パラメータ設定のエントリポイント（規定ポイント）での配信中止（デフォルトパラメータ適用指令）が発生すると（処理１１１０）、受信機は、対応するＩＤについて、フラッシュメモリあるいはパラメータ保存領域に保存されているパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔあるいはＳｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせ）をパラメータ記録領域に再登録（パラメータ記憶領域の更新）したのち、受信再生処理を再開する（処理９３０）。この際、パラメータ記録領域がＩＤ管理方法１を適用している図１７の場合には、対応するＩＤについて、選択中のチェンネルのパラメータ設定情報がデフォルトパラメータに書き換えられる（処理１７２０）。パラメータ記録領域のＩＤ管理方法２を適用している図１１の場合には、対応するＩＤのパラメータ設定情報がデフォルトパラメータに書き換えられる（処理１１２０）。処理１１２０と処理１７２０において、受信機内にフラッシュメモリとパラメータ保存領域が共に存在する場合には、パラメータ保存領域からパラメータ設定情報が提供される。いずれか一方のみが存在する場合には、存在するメモリ領域から提供される。図１２と図１８は、ＩＤ管理方法１が適用されているＩＤに対応するデフォルトパラメータがフラッシュメモリまたはパラメータ保存領域に保存されている場合について、そのＩＤに対応する番組変更時ならびにエントリポイント（規定ポイント）での配信中止時の処理を示した図である。図１２は、パラメータ記録領域がＩＤ管理方法２を適用している場合、図１８はパラメータ記録領域がＩＤ管理方法１を適用している場合の図である。番組変更あるいは更新パラメータ設定のエントリポイントでの配信中止（デフォルトパラメータ適用指令）が発生すると（処��１１１０）、受信機は、対応するＩＤについて、フラッシュメモリまたはパラメータ保存領域に保存されている選択チャンネルのパラメータ設定情報（Ｐｉｃｔｕｒｅ  ｐａｒａｍｅｔｅｒ  ｓｅｔ、Ｓｅｑｕｅｎｃｅ  ｐａｒａｍｅｔｅｒ  ｓｅｔあるいはＳｅｑｕｅｎｃｅ  ｐａｒａｍｅｔｅｒ  ｓｅｔとＰｉｃｔｕｒｅ  ｐａｒａｍｅｔｅｒ  ｓｅｔの組み合わせ）をパラメータ記録領域に再登録（パラメータ記憶領域の更新）したのち、受信再生処理を再開する（処理９３０）。この際、パラメータ記録領域がＩＤ管理方法１を適用している図１８の場合には、対応するＩＤについて、選択中のチェンネルのパラメータ設定情報がデフォルトパラメータに書き換えられる（処理１８２０）。パラメータ記録領域がＩＤ管理方法２を適用している図１２の場合には、対応するＩＤのパラメータ設定情報がデフォルトパラメータに書き換えられる。処理１２２０と処理１８２０において、受信機内にフラッシュメモリとパラメータ保存領域が共に存在する場合には、パラメータ保存領域からパラメータ設定情報が提供される。いずれか一方のみが存在する場合には、存在するメモリ領域から提供される。なお、受信機のフラッシュメモリまたはパラメータ保存領域がＩＤ管理方法１を適用している場合には、全てのＩＤについて図１２または図１８の処理が適用される。受信機のフラッシュメモリまたはパラメータ保存領域がＩＤ管理方法２を適用している場合には、全てのＩＤについて図１１または図１７の処理が適用される。受信機のフラッシュメモリまたはパラメータ保存領域がＩＤ管理方法３を適用している場合には、各ＩＤパラメータ記録領域のＩＤ管理方法に応じて図１１、図１２、図１７ならびに図１８の処理を使い分ける。
【００４９】
図９〜図１２ならびに図１５〜図１８のパラメータ設定の初期化処理は、デフォルトパラメータを何れかのチャンネルが持つＩＤに適用される処理である。デフォルトパラメータを持たないＩＤについては、エントリポイント（規定ポイント）で常にパラメータ設定情報が配信されるため、初期化処理は必要ない。また、図９〜図１２ならびに図１５〜１８の処理の活用可否は放送規格の運用規定に従って決められるものであり、運用規定によっては、デフォルトパラメータを用いる規格であっても必要ない場合も考えられる。なお、放送規格の運用規定にてＩＤ管理方法１が適用されており、パラメータ記録領域にＩＤ管理方法２が適用されているときには、デフォルトパラメータとして定義されているＩＤについては、全て選択チャンネルのパラメータ設定情報に初期化処理を施す必要がある。また、図２２（ｄ）に示すように複数チェンネルのパラメータ設定情報が更新されている場合には、それら全てのチェンネルについて、パラメータ設定の初期化処理を実施する必要がある。上記の図９〜図１２ならびに図１５〜１８の説明では、受信機内にフラッシュメモリとパラメータ保存領域が共に存在する場合には、パラメータ保存領域からパラメータ設定情報が提供されるものとした。しかしながら、構成上は、フラッシュメモリから提供することも可能であり、この場合の受信機も本願のデフォルトパラメータ初期化処理は適用可能である。
ここで、本願のシーケンスパラメータ設定情報とピクチャパラメータ設定情報の配信ならびに受信手段ならびにＩＤ管理手段について、２つの受信機の例で処理の流れをまとめておく。図３０に、デジタル放送チャンネル以外の通信手段を用いずに番組データを復号する際のパラメータ設定情報の更新・初期化の全体処理の流れ、図３１に、放送以外の通信手段を用いて番組データに復号する際のパラメータ設定情報の更新・初期化の全体処理の流れを示す。
【００５０】
図３０では、放送受信プログラムが起動されるかまたは電源がオンされると（処理３０００）、デフォルトパラメータのロード処理が実施される（処理３０１０）。番組の視聴が始まった後のパラメータ設定情報に関する処理には、「受信データの入力に伴い実施されるパラメータ更新」と「決まったタイミングで実施されるパラメータ初期化」の大きく２つのタイプに分かれる（処理３０２０）。パラメータ設定情報に関する受信データが入力されると受信機は、その入力データの種別に応じて（処理３０３０）、パラメータの更新処理を実施する（処理３０３１、処理３０３２）。処理３０３１はビデオデータにてインバンドで更新パラメータ設定情報が入力されたときの処理、処理３０３２は番組情報にて更新データが入力されたときの処理を示している。なお、この更新処理は、更新が必要なＩＤの数だけ繰り返される。但し、処理３０３０〜処理３０３２のパラメータ更新処理については、放送規格の運用規定にてパラメータ設定情報の更新タイミングに制限がかけられている場合もある。この場合には、エントリポイント毎に更新処理を行う必要はなく、チャンネル切り替え時や番組変更時、あるいは視聴開始時にのみ更新処理を行えばよい。パラメータ設定情報の初期化を実施するタイミングになると受信機は、その時期に応じて（処理３０４０）、パラメータの初期化処理を実施する（処理３０４１、処理３０４２）。処理３０４１はチャンネル切り換え時の初期化処理、処理３０４２は番組変更時の初期化処理を示している。また、番組内でパラメータ設定が更新されたにも関わらず、エントリポイントにてパラメータ設定情報が提供されなかったときには、処理３０４２を実施する。なお、この初期化処理は、初期化が必要なＩＤの数だけ繰り返される。以降、視聴者が放送の視聴を終了するまで（処理３０５０）、パラメータ設定情報の更新・初期化処理は繰り返し実施される。
【００５１】
図３１では、放送受信プログラムが起動されるかまたは電源がオンされると（処理３１００）、デフォルトパラメータのロード処理が実施される（処理３１１０）。番組の視聴が始まった後のパラメータ設定情報に関する処理には、「番組情報データの入力に伴い実施される処理」と「決まったタイミングで実施される処理」の大きく２つのタイプに分かれる（処理３０２０）。パラメータ設定情報に関する番組情報データが入力されると受信機は、その入力データの種別に応じて（処理３１３０）、処理３１３１または処理３１３２を実施する。処理３１３１は番組情報データにて、規定ポイントでのパラメータ設定情報の提供を中止することを通知されたときの処理であり、パラメータの初期化処理を実施する。処理３１３２は番組情報にて更新データが入力されたときの処理であり、パラメータの更新処理を実施する。なお、これらの処理は、更新が必要なＩＤの数だけ繰り返される。パラメータ設定情報の制御を伴う実施するタイミングになると受信機は、その時期に応じて（処理３１４０）、パラメータの初期化処理・更新を実施する（処理３１４１、処理３１４２）。処理３１４１はチャンネル切り換え時の処理、処理３１４２は番組変更時の処理を示している。なお、これらの初期化処理・更新は、初期化・更新が必要なＩＤの数だけ繰り返される。以降、視聴者が放送の視聴を終了するまで（処理３１５０）、パラメータ設定情報の更新・初期化処理は繰り返し実施される。
【００５２】
ここで、パラメータ記録領域に記録されたパラメータ設定情報の読み取り手段ならびに利用手段について図３２を用いて説明を加える。受信機は、チャンネル切り替え（受信プログラム起動時の初期チャンネル自動選択も含む）要求が発生すると（処理３２００）、まず、復号処理の初期化設定（処理３２９０）を実施する。次に、選択チャンネルのパラメータ設定情報をアクセス領域（図１の１４１ａ、図３の３３１ａ）に登録する（処理３２１０）。アクセス領域とは、パラメータ記録領域がＩＤ管理方法１を適用する場合について、映像復号処理部が各スライスデータ内のｐｉｃｔｕｒｅ  ｐａｒａｍｅｔｅｒ  ｓｅｔ  ｉｄ復号時に、設定パラメータ変更のためにアクセスする領域のことである。この領域を設けることにより、映像復号処理部は、チャンネルが切り替えられる度にアクセスする領域を切り替える作業を省略できる。アクセス領域は、チャンネル切り替え時に映像復号処理とは別に変更できる。なお、アクセス領域は、実際にはポインタ情報であると考えられる。この場合、例えば、選択チャンネルのパラメータ設定情報が記録されている領域の先頭ポインタを指定する（先頭ポインタにリンクをはる）だけで、アクセス領域の登録処理は完了する。パラメータ記録領域がＩＤ管理方法２の場合には、この処理３２１０は省略できる。次に、受信機は、イントラピクチャの先頭ＭＢを持つスライスデータまたはパラメータ設定情報が検出されるまで、入力符号化データを読み飛ばす（処理３２２０）。次に検出データに対応した分岐処理を実施する（処理３２３０）。検出データがイントラスライスデータの場合には、そのスライスデータのヘッダ部にて指定されるピクチャパラメータＩＤに対応するパラメータ設定情報がアクセス領域（ＩＤ管理方法２の場合）またはパラメータ記録領域（ＩＤ管理方法１の場合）に存在するかどうかをチェックする（処理３２４０）。存在しない場合には、そのピクチャは復号できないため、処理３２２０に戻る。存在する場合には、ピクチャ再生処理３２６０を実施する。そして、そのピクチャがアクセス領域（ＩＤ管理方法２の場合）またはパラメータ記録領域（ＩＤ管理方法１の場合）のパラメータ設定情報にて問題なく最後まで復号できるか、シンタックスエラーが発生するかどうかをチェックする（処理３２７０）。シンタックスエラーが発生した場合には、処理３２２０に戻る。問題なく復号できた場合には、出力処理３２８０を実施する。但し、シンタックスエラーは起こらなかったものの映像として問題があると判定される場合には、出力表示しない。出力処理後、処理３２３０に戻る。一方、分岐処理３２３０にてパラメータ設定情報が検出された場合には、パラメータ設定情報を復号し、アクセス領域あるいはパラメータ記録領域のデータを更新する（処理３２５２）。その後、ピクチャ再生処理３２６０と出力処理３２８０を実施し、処理３２３０に戻る。この際、ピクチャがイントラスライスにより構成されていない場合には、処理３２７０にてエラーと判断し、処理３２２０に戻す。チャンネル切り替え後の２フレーム目以降については、処理３２３０にてパラメータ設定情報が検出された場合の処理が１フレーム目とは異なる。具体的には、そのパラメータ設定情報がチェンネル選択後に既に復号されたＩＤに対応する情報であるかどうかをチェックする（処理３２５０）。ここで、すでに復号済みのＩＤであった場合には、復号せずにパラメータ設定情報を読み飛ばす。パラメータ設定情報の更新処理もスキップする（処理３２５１）。なお、処理３２５１は、放送規格の運用規定にて、パラメータ設定が変更されないと規定されている期間についてのみ適用可能であり、パラメータ設定が変更される可能性がある場合には、処理３２５０を省略し、処理３２５２を実施する（処理３２５４）。
【００５３】
図３２の処理手順では、パラメータ設定情報を伴わないピクチャでも再生処理を実施することが可能であるため、チャネル切り替えから再生開始までの遅延時間を削減することが可能となる。但し、以前に復号したパラメータ設定情報を利用するため、デフォルトパラメータを持たない放送規格に適用するためには、復号したパラメータ設定を受信機内に保存しておく必要がある。その処理を図３３にて説明する。受信終了要求が発生すると（処理３３９０）、パラメータ記録領域のパラメータ設定情報をパラメータ保存領域（揮発メモリ）あるいはフラッシュメモリ（不揮発メモリ）に保存する（処理３３４０）。そして、処理３３４０にてパラメータ保存領域にデータを保存した場合には、電源オフ要求発生時に（処理３３６０）、パラメータ保存領域のデータをフラッシュメモリに保存する（処理３３７０）。そして、電源投入時あるいは電源投入後、最初の放送受信要求発生時には、フラッシュメモリに保存されているパラメータ設定を初期データとしてパラメータ記録領域にロードする（処理３３２０）。放送受信要求の再発生時にはパラメータ保存領域のパラメータ設定を初期データとしてパラメータ記録領域にロードする（処理３３２０）。なお、フラッシュメモリとパラメータ保存領域の一方しか存在しない場合には、処理３３７０は省略され、処理３３２０では存在するメモリ領域から初期データが提供される。
【００５４】
ここまでは、本発明のパラメータ設定情報受信管理方法の実装手段として、デジタル放送を受信するデジタル携帯端末（２８１０：携帯電話、２８４０：携帯電話、２８５０：ＰＤＡ）を例に説明してきた。携帯端末以外にも複数のパラメータ設定情報を管理する符号化方式を適用するデジタル放送システムの受信機には本発明が適用できる。例えば、インターネット接続あるいは公衆電話回線接続機能（２８３２）を持つＴＶ受信機２８２１にも本発明のパラメータ設定情報受信管理方法は実装できる。なお、このＴＶ受信機にて放送と別の通信回線でのデフォルトパラメータやパラメータ設定の更新データを受信する場合には、携帯電話のネットワークではなく、公衆電話回線やＩＰ網を利用する。セットトップボックス２８２２を用いたケーブルＴＶ受信機２８２１にも本発明のパラメータ設定情報受信管理方法は実装できる。この場合には、図２４（ａ）（ｂ）に示すように、ケーブル回線にて複数チャンネルの番組を多重化したデータを受信する。そのため、パラメータ設定情報も多重化されて受信する。多重化の方法としては、図２４（ａ）のようにビデオデータ内でパラメータ設定情報を配信することも可能であるが、図２４（ｂ）のようにパラメータ設定情報とビデオデータを分離してまとめることも可能である。データ２４４１とデータ２４５１はパラメータ設定情報を分離して多重化した場合の例である。データ２４４１は、２つの別チャンネルが同じＩＤに異なるパラメータ設定を行った場合にも対応しており、放送規格の運用規定にてＩＤ管理方法１を適用している場合に用いられる。データ２４５１では、ＩＤ管理方法２を適用している場合に用いられるデータ形式である。パラメータ設定に関する放送キャリアの自由度が限定されるが、受信機の構成は容易になる。
【００５５】
【発明の効果】
本発明により、アウトバンドでシーケンスパラメータ設定情報とピクチャパラメータ設定情報を配信する符号化方法を、チェンネルホッピングを伴うブロードバンド配信に適用することが可能となる。また、本発明により、上記データを受信し、地チャネルポッピングに対応する受信機を構成することが可能となる。
【図面の簡単な説明】
【図１】本発明におけるソフトウェア受信機構成の例を示した図である。
【図２】デフォルトパラメータ設定情報をソフトウェア受信機の復号処理部に登録する処理の流れを説明する図である。
【図３】本発明におけるハードウェア受信機構成の例を示した図である。
【図４】デフォルトパラメータ設定情報をハードウェア受信機の復号処理部に登録する処理の流れを説明する図である。
【図５】パラメータ記憶領域のデータを、インバンドで受信した登録済みＩＤのパラメータ設定情報にて更新する処理の流れを説明する図である。
【図６】パラメータ記憶領域に、インバンドで受信した未登録ＩＤのパラメータ設定情報を追加する処理の流れを説明する図である。
【図７】選択チェンネルについて、パラメータ記憶領域のデータを、インバンドで受信した登録済みＩＤのパラメータ設定情報にて更新する処理の流れを説明する図である。
【図８】選択チェンネルについて、パラメータ記憶領域に、インバンドで受信した未登録ＩＤのパラメータ設定情報を追加する処理の流れを説明する図である。
【図９】チェンネル切り替え時に、パラメータ記録領域のデータをデフォルトパラメータに更新する処理の流れを説明する図である。
【図１０】チェンネル切り替え時に、選択チャンネルについてパラメータ記録領域のデータをデフォルトパラメータに更新する処理の流れを説明する図である。
【図１１】番組変更時に、パラメータ記録領域のデータをデフォルトパラメータに更新する処理の流れを説明する図である。
【図１２】番組変更時に、選択チャンネルについてパラメータ記録領域のデータをデフォルトパラメータに更新する処理の流れを説明する図である。
【図１３】プログラム起動時に、アウトバンドでパラメータ設定情報を受信し、パラメータ記録領域に登録する処理の流れを説明する図である。
【図１４】プログラム起動時に、アウトバンドでパラメータ設定情報を受信し、パラメータ記録領域とパラメータ保存領域に登録する処理の流れを説明する図である。
【図１５】チェンネル切り替え時に、パラメータ記録領域のデータをデフォルトパラメータに更新する処理の流れの別例を説明する図である。
【図１６】チェンネル切り替え時に、選択チャンネルについてパラメータ記録領域のデータをデフォルトパラメータに更新する処理の流れの別例を説明する図である。
【図１７】番組変更時に、パラメータ記録領域のデータをデフォルトパラメータに更新する処理の流れの別例を説明する図である。
【図１８】番組変更時に、選択チャンネルについてパラメータ記録領域のデータをデフォルトパラメータに更新する処理の流れの別例を説明する図である。
【図１９】チェンネル切り替え時に、アウトバンドでパラメータ設定情報を受信し、パラメータ記録領域に登録する処理の流れを説明する図である。
【図２０】番組切り替え時に、アウトバンドでパラメータ設定情報を受信し、パラメータ記録領域に登録する処理の流れを説明する図である。
【図２１】アウトバンドにてパラメータ設定情報を配信する符号化方法のデータ構造を説明する図である。
【図２２】アウトバンドにてパラメータ設定情報を配信する符号化方法について、チャネルホッピングに対応するデータ構造を説明する図である。
【図２３】インバンドにてパラメータ設定情報を配信する符号化方法のデータ構造ならびにチェンネルホッピングに対応するデータ構造を説明する図である。
【図２４】アウトバンドにてパラメータ設定情報を配信する符号化方法について、複数チェンネルデータを合成した番組データの構造を説明する図である。
【図２５】インバンドにて受信したパラメータ修正情報に従って、パラメータ記録領域に記録されているパラメータ設定情報を更新する処理を説明する図である。
【図２６】追加ＩＤ情報をインバンドで受信した場合に、アウトバンドでパラメータ設定情報を受信し、パラメータ記録領域に登録する処理の流れを説明する図である。
【図２７】映像符号化の符号化単位を説明する図である。
【図２８】本発明のパラメータ設定情報受信・管理手段を適用する装置の具体例を示した図である。
【図２９】インバンドにてパラメータ修正情報を配信する符号化方法のデータ構造とその登録処理構成を説明する図である。
【図３０】放送以外の通信手段を用いずに番組データを復号する際のパラメータ設定情報の更新・初期化の全体処理を説明する図である。
【図３１】放送以外の通信手段を用いて番組データを復号する際のパラメータ設定情報の更新・初期化の全体処理を説明する図である。
【図３２】インバンドデータの再生処理手順を説明する図である。
【図３３】受信パラメータ設定情報の保存処理を説明する図である。
【図３４】アウトバンドにてピクチャパラメータ設定情報を配信する符号化方法について、チャネルホッピングに対応するデータ構造を説明する図である。
【符号の説明】
１１０、３１０…アンテナ、１２０…ベースバンド信号処理部、１３０…マルチメディア信号処理部、１４０…ＳＲＡＭ、１５０…フラッシュメモリ、３２０…ベースバンドチップ、３３０…映像復号ＬＳＩ。
【図１】
2004343272.tif 000003
【図２】
2004343272.tif 000004
【図３】
2004343272.tif 000005
【図４】
2004343272.tif 000006
【図５】
2004343272.tif 000007
【図６】
2004343272.tif 000008
【図７】
2004343272.tif 000009
【図８】
2004343272.tif 000010
【図９】
2004343272.tif 000011
【図１０】
2004343272.tif 000012
【図１１】
2004343272.tif 000013
【図１２】
2004343272.tif 000014
【図１３】
2004343272.tif 000015
【図１４】
2004343272.tif 000016
【図１５】
2004343272.tif 000017
【図１６】
2004343272.tif 000018
【図１７】
2004343272.tif 000019
【図１８】
2004343272.tif 000020
【図１９】
2004343272.tif 000021
【図２０】
2004343272.tif 000022
【図２１】
2004343272.tif 000023
【図２２】
2004343272.tif 000024
【図２３】
2004343272.tif 000025
【図２４】
2004343272.tif 000026
【図２５】
2004343272.tif 000027
【図２６】
2004343272.tif 000028
【図２７】
2004343272.tif 000029
【図２８】
2004343272.tif 000030
【図２９】
2004343272.tif 000031
【図３０】
2004343272.tif 000032
【図３１】
2004343272.tif 000033
【図３２】
2004343272.tif 000034
【図３３】
2004343272.tif 000035
【図３４】
2004343272.tif 000036